【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
データ処理装置によって実行される方法であって、
所与の事実エンティティーを照会して受信された1つまたは複数のクエリーを識別するステップであって、前記所与の事実エンティティーに対して識別される前記1つまたは複数のクエリーが、他の1つまたは複数の事実エンティティーに対して識別される1つまたは複数のクエリーとは異なる、ステップと、
所与のクエリーに関連した1つまたは複数のリソースを識別するステップと、
受信されたクエリーに対応する検索結果を入手するステップと、
前記所与の事実エンティティーが前記受信されたクエリーによって照会されていると判定するステップと、
前記所与の事実エンティティーに関するエンティティーのタイプを識別するステップと、
異なる知識パネルテンプレートのセットから、前記エンティティーのタイプに対して指定される知識パネルテンプレートを識別するステップであって、識別された前記知識パネルテンプレートが、前記エンティティーのタイプに関するコンテンツのプレースホルダを含む、ステップと、
前記所与の事実エンティティーに関連した前記1つまたは複数のリソースから、前記所与の事実エンティティーに関する知識パネル内に表示するためのコンテンツを選択するステップであって、選択された前記コンテンツが、第1のリソースから入手される第1のコンテンツアイテム、および前記第1のリソースとは異なる第2のリソースから入手される第2のコンテンツアイテムを含み、前記選択されたコンテンツの所与の各コンテンツアイテムが、(i)前記所与の事実エンティティーと(ii)前記所与のコンテンツアイテムによって提示される情報との両方を照会する前記受信された1つまたは複数のクエリーの数に基づいて選択される、ステップと、
選択された前記コンテンツを、前記識別された知識パネルテンプレートの前記プレースホルダに投入することによって、前記所与の事実エンティティーに関する前記知識パネルを生成するステップと、
入手された前記検索結果および前記知識パネルが検索結果ページに提示されるようにするデータを提供するステップであって、前記知識パネルが、前記選択されたコンテンツを、前記検索結果の少なくとも一部と並んだ知識パネルエリア内に提示する、ステップと
を含む方法。
【請求項２】
前記選択されたコンテンツが、前記所与の事実エンティティーに関する画像、前記所与の事実エンティティーに関するタイトル、または前記所与の事実エンティティーに関する事実のうちの少なくとも2つを含む、請求項1に記載の方法。
【請求項３】
前記知識パネルエリアが、前記検索結果のうちのそれぞれよりも大きな、前記検索結果ページのエリアを使用する、請求項1に記載の方法。
【請求項４】
前記所与の事実エンティティーに関する知識パネル内に表示するためのコンテンツを選択する前記ステップが、前記知識パネルのための前記コンテンツを前記所与の事実エンティティーに関するコンテンツのランキングに基づいて選択するステップを含み、
前記ランキングが、前記コンテンツおよび前記所与の事実エンティティーに関連したユーザ検索イベントに基づく、請求項1に記載の方法。
【請求項５】
前記知識パネルが、インタラクティブユーザインターフェースオブジェクトを含み、
前記方法が、
前記インタラクティブユーザインターフェースオブジェクトとの対話を指定する情報を受信するステップと、
前記対話に基づいて選択されるさらなるコンテンツが、前記検索結果ページから離れてナビゲートすることなく、かつ前記知識パネルおよび前記入手された検索結果の提示を維持したままで、前記知識パネル内に提示されるようにするデータを提供するステップと
をさらに含む、請求項1に記載の方法。
【請求項６】
前記受信されたクエリーが複数の明確な意味に関連付けられていると判定するステップと、
前記明確な意味のうちのそれぞれに関連したコンテンツを識別するステップと
をさらに含み、
前記知識パネルが、前記明確な意味のうちの複数に関するコンテンツを含み、
前記明確な意味のうちの少なくとも1つに関する前記コンテンツが、選択されたときに前記少なくとも1つの明確な意味に関連した検索結果に関する検索を開始するリンクを含んだコンテンツアイテムを含む、請求項1に記載の方法。
【請求項７】
前記所与の事実エンティティーに関する知識パネル内に表示するためのコンテンツを選択する前記ステップが、前記識別された知識パネルテンプレートによって指定されたコンテンツアイテムのタイプを識別するステップを含む、請求項1に記載の方法。
【請求項８】
前記所与の事実エンティティーが、人物を含み、
前記識別された知識パネルテンプレートが、前記人物の画像、前記人物の説明、および前記人物に関する少なくとも1つの事実のそれぞれのためのプレースホルダを含む、請求項1に記載の方法。
【請求項９】
前記所与の事実エンティティーが、場所を含み、
前記識別された知識パネルテンプレートが、前記場所に関連付けられている地図を示す画像、前記場所の説明、および前記場所に関する少なくとも1つの事実のそれぞれのためのプレースホルダを含む、請求項1に記載の方法。
【請求項１０】
コンピュータプログラムをエンコードして格納しているコンピュータストレージメディアであって、
前記プログラムが命令を含み、前記命令が、データ処理装置によって実行されたときに、
所与の事実エンティティーを照会して受信された1つまたは複数のクエリーを識別するステップであって、前記所与の事実エンティティーに対して識別される前記1つまたは複数のクエリーが、他の1つまたは複数の事実エンティティーに対して識別される1つまたは複数のクエリーとは異なる、ステップと、
所与のクエリーに関連した1つまたは複数のリソースを識別するステップと、
受信されたクエリーに対応する検索結果を入手するステップと、
前記所与の事実エンティティーが前記受信されたクエリーによって照会されていると判定するステップと、
前記所与の事実エンティティーに関するエンティティーのタイプを識別するステップと、
異なる知識パネルテンプレートのセットから、前記エンティティーのタイプに対して指定される知識パネルテンプレートを識別するステップであって、識別された前記知識パネルテンプレートが、前記エンティティーのタイプに関するコンテンツのプレースホルダを含む、ステップと、
前記所与の事実エンティティーに関連した前記1つまたは複数のリソースから、前記所与の事実エンティティーに関する知識パネル内に表示するためのコンテンツを選択するステップであって、選択された前記コンテンツが、第1のリソースから入手される第1のコンテンツアイテム、および前記第1のリソースとは異なる第2のリソースから入手される第2のコンテンツアイテムを含み、前記選択されたコンテンツの所与の各コンテンツアイテムが、(i)前記所与の事実エンティティーと(ii)前記所与のコンテンツアイテムによって提示される情報との両方を照会する前記受信された1つまたは複数のクエリーの数に基づいて選択される、ステップと、
入手された前記検索結果および前記知識パネルが検索結果ページに提示されるようにするデータを提供するステップであって、前記知識パネルが、前記選択されたコンテンツを、前記検索結果の少なくとも一部と並んだ知識パネルエリア内に提示する、ステップと
を含むオペレーションを前記データ処理装置に実行させる、コンピュータストレージメディア。
【請求項１１】
前記選択されたコンテンツが、前記所与の事実エンティティーに関する画像、前記所与の事実エンティティーに関するタイトル、または前記所与の事実エンティティーに関する事実のうちの少なくとも2つを含む、請求項10に記載のコンピュータストレージメディア。
【請求項１２】
前記知識パネルエリアが、前記検索結果のうちのそれぞれよりも大きな、前記検索結果ページのエリアを使用する、請求項10に記載のコンピュータストレージメディア。
【請求項１３】
前記所与の事実エンティティーに関する知識パネル内に表示するためのコンテンツを選択する前記ステップが、前記知識パネルのための前記コンテンツを前記所与の事実エンティティーに関するコンテンツのランキングに基づいて選択するステップを含み、
前記ランキングが、前記コンテンツおよび前記所与の事実エンティティーに関連したユーザ検索イベントに基づく、請求項10に記載のコンピュータストレージメディア。
【請求項１４】
前記知識パネルが、インタラクティブユーザインターフェースオブジェクトを含み、
前記命令が、前記データ処理装置によって実行されたときに、
前記インタラクティブユーザインターフェースオブジェクトとの対話を指定する情報を受信するステップと、
前記対話に基づいて選択されるさらなるコンテンツが、前記検索結果ページから離れてナビゲートすることなく、かつ前記知識パネルおよび前記入手された検索結果の提示を維持したままで、前記知識パネル内に提示されるようにするデータを提供するステップと
を含むさらなるオペレーションを前記データ処理装置に実行させる、請求項10に記載のコンピュータストレージメディア。
【請求項１５】
前記命令が、前記データ処理装置によって実行されたときに、
前記受信されたクエリーが複数の明確な意味に関連付けられていると判定するステップと、
前記明確な意味のうちのそれぞれに関連したコンテンツを識別するステップと
を含むさらなるオペレーションを前記データ処理装置に実行させ、
前記知識パネルが、前記明確な意味のうちの複数に関するコンテンツを含み、
前記明確な意味のうちの少なくとも1つに関する前記コンテンツが、選択されたときに前記少なくとも1つの明確な意味に関連した検索結果に関する検索を開始するリンクを含んだコンテンツアイテムを含む、請求項10に記載のコンピュータストレージメディア。
【請求項１６】
前記所与の事実エンティティーに関する知識パネル内に表示するためのコンテンツを選択する前記ステップが、前記識別された知識パネルテンプレートによって指定されたコンテンツアイテムのタイプを識別するステップを含む、請求項10に記載のコンピュータストレージメディア。
【請求項１７】
前記所与の事実エンティティーが、人物を含み、
前記識別された知識パネルテンプレートが、前記人物の画像、前記人物の説明、および前記人物に関する少なくとも1つの事実のそれぞれのためのプレースホルダを含む、請求項10に記載のコンピュータストレージメディア。
【請求項１８】
前記所与の事実エンティティーが、場所を含み、
前記識別された知識パネルテンプレートが、前記場所に関連付けられている地図を示す画像、前記場所の説明、および前記場所に関する少なくとも1つの事実のそれぞれのためのプレースホルダを含む、請求項10に記載のコンピュータストレージメディア。
【請求項１９】
コンテンツアイテムを格納するためのデータストアと、
前記データストアと対話するように構成されている1つまたは複数のプロセッサと
を含むシステムであって、
前記1つまたは複数のプロセッサが、
所与の事実エンティティーを照会して受信された1つまたは複数のクエリーを識別するステップであって、前記所与の事実エンティティーに対して識別される前記1つまたは複数のクエリーが、他の1つまたは複数の事実エンティティーに対して識別される1つまたは複数のクエリーとは異なる、ステップと、
所与のクエリーに関連した1つまたは複数のリソースを識別するステップと、
受信されたクエリーに対応する検索結果を入手するステップと、
前記所与の事実エンティティーが前記受信されたクエリーによって照会されていると判定するステップと、
前記所与の事実エンティティーに関するエンティティーのタイプを識別するステップと、
異なる知識パネルテンプレートのセットから、前記エンティティーのタイプに対して指定される知識パネルテンプレートを識別するステップであって、識別された前記知識パネルテンプレートが、前記エンティティーのタイプに関するコンテンツのプレースホルダを含む、ステップと、
前記所与の事実エンティティーに関連した前記1つまたは複数のリソースから、前記所与の事実エンティティーに関する知識パネル内に表示するためのコンテンツを選択するステップであって、選択された前記コンテンツが、第1のリソースから入手される第1のコンテンツアイテム、および前記第1のリソースとは異なる第2のリソースから入手される第2のコンテンツアイテムを含み、前記選択されたコンテンツの所与の各コンテンツアイテムが、(i)前記所与の事実エンティティーと(ii)前記所与のコンテンツアイテムによって提示される情報との両方を照会する前記受信された1つまたは複数のクエリーの数に基づいて選択される、ステップと、
選択された前記コンテンツを、前記識別された知識パネルテンプレートの前記プレースホルダに投入することによって、前記所与の事実エンティティーに関する前記知識パネルを生成するステップと、
入手された前記検索結果および前記知識パネルが検索結果ページに提示されるようにするデータを提供するステップであって、前記知識パネルが、前記選択されたコンテンツを、前記検索結果の少なくとも一部と並んだ知識パネルエリア内に提示する、ステップと
を含むオペレーションを実行するようにさらに構成されている、システム。
【請求項２０】
前記選択されたコンテンツが、前記所与の事実エンティティーに関する画像、前記所与の事実エンティティーに関するタイトル、または前記所与の事実エンティティーに関する事実のうちの少なくとも2つを含む、請求項19に記載のシステム。
【請求項２１】
前記知識パネルエリアが、前記検索結果のうちのそれぞれよりも大きな、前記検索結果ページのエリアを使用する、請求項19に記載のシステム。
【請求項２２】
前記所与の事実エンティティーに関する知識パネル内に表示するためのコンテンツを選択する前記ステップが、前記知識パネルのための前記コンテンツを前記所与の事実エンティティーに関するコンテンツのランキングに基づいて選択するステップを含み、
前記ランキングが、前記コンテンツおよび前記所与の事実エンティティーに関連したユーザ検索イベントに基づく、請求項19に記載のシステム。
【請求項２３】
前記知識パネルが、インタラクティブユーザインターフェースオブジェクトを含み、
前記1つまたは複数のプロセッサが、
前記インタラクティブユーザインターフェースオブジェクトとの対話を指定する情報を受信するステップと、
前記対話に基づいて選択されるさらなるコンテンツが、前記検索結果ページから離れてナビゲートすることなく、かつ前記知識パネルおよび前記入手された検索結果の提示を維持したままで、前記知識パネル内に提示されるようにするデータを提供するステップと
を含むオペレーションを実行するようにさらに構成されている、請求項19に記載のシステム。
【請求項２４】
前記1つまたは複数のプロセッサが、
前記受信されたクエリーが複数の明確な意味に関連付けられていると判定するステップと、
前記明確な意味のうちのそれぞれに関連したコンテンツを識別するステップと
を含むオペレーションを実行するようにさらに構成されており、
前記知識パネルが、前記明確な意味のうちの複数に関するコンテンツを含み、
前記明確な意味のうちの少なくとも1つに関する前記コンテンツが、選択されたときに前記少なくとも1つの明確な意味に関連した検索結果に関する検索を開始するリンクを含んだコンテンツアイテムを含む、請求項19に記載のシステム。
【請求項２５】
前記所与の事実エンティティーに関する知識パネル内に表示するためのコンテンツを選択する前記ステップが、前記識別された知識パネルテンプレートによって指定されたコンテンツアイテムのタイプを識別するステップを含む、請求項19に記載のシステム。
【請求項２６】
前記所与の事実エンティティーが、人物を含み、
前記識別された知識パネルテンプレートが、前記人物の画像、前記人物の説明、および前記人物に関する少なくとも1つの事実のそれぞれのためのプレースホルダを含む、請求項19に記載のシステム。
【請求項２７】
前記所与の事実エンティティーが、場所を含み、
前記識別された知識パネルテンプレートが、前記場所に関連付けられている地図を示す画像、前記場所の説明、および前記場所に関する少なくとも1つの事実のそれぞれのためのプレースホルダを含む、請求項19に記載のシステム。
【請求項２８】
前記異なる知識パネルテンプレートのセットのうちの各知識パネルテンプレートが、各知識パネルテンプレート内の共通の位置に配置される少なくとも1つのタイプのコンテンツを指定する、請求項1に記載の方法。
【請求項２９】
前記エンティティーのタイプに対して指定される前記識別された知識パネルテンプレートが、第1のタイプのコンテンツアイテムに対するプレースホルダを含み、
前記異なる知識パネルテンプレートのセットのうちの他の各知識パネルテンプレートが、前記第1のタイプのコンテンツアイテムに対するプレースホルダを含まない、請求項1に記載の方法。
【請求項３０】
前記所与の事実エンティティーに関する知識パネル内に表示するためのコンテンツを選択する前記ステップが、
プレースホルダに対して指定されるコンテンツのタイプおよび各コンテンツアイテムに関するコンテンツのタイプに基づいて、前記識別される知識パネルテンプレートのプレースホルダ毎にコンテンツアイテムを識別するステップと、
前記所与のコンテンツアイテムに対して識別される他の各コンテンツアイテムに関する前記プレースホルダに対して識別される各コンテンツアイテムを、プレースホルダ毎にランク付けするステップであって、各コンテンツアイテムが、(i)前記所与の事実エンティティーと(ii)前記コンテンツアイテムによって提示される情報との両方を照会する前記受信された1つまたは複数のクエリーの数に基づいてランク付けされる、ステップと、
プレースホルダ毎のランク付けに基づいて、前記知識パネルに挿入するためにプレースホルダ毎の前記コンテンツアイテムのうちの1つまたは複数を選択するステップと
を含む、請求項1に記載の方法。